(57)【特許請求の範囲】
【請求項１】
パイプ状に丸めたベルト本体を挿通させる貫通孔を備え、該貫通孔の周囲に複数本の保形ローラを配設した支持板の取付け構造において、
前記支持板の周縁部近傍に、周方向に沿って所定の間隔で複数のフックの取付け穴と、連結部材の取付け穴とをそれぞれ形成すると共に、支持板の上部に支持板取付けフレームを架設し、この支持板取付けフレームに形成した長穴に、フックを介して吊設した支持板を着脱可能に吊設し、前記支持板の周囲に形成した複数の連結部材の取付け穴に、紐状または棒状の連結部材を挿通し、この支持板の前後部の連結部材に、支持板の前後移動規制部材を設けて成るパイプコンベヤ用支持板の取付け構造。
【請求項２】
前記支持板が、方形状または円形状である請求項１に記載のパイプコンベヤ用支持板の取付け構造。
【請求項３】
前記連結部材が、ワイヤー等の紐状部材または樹脂ロッド等の棒状部材である請求項１または２に記載のパイプコンベヤ用支持板の取付け構造。
【請求項４】
前記連結部材を、隣接する複数の支持板の同位置の取付け穴に複数本挿通させ、支持板の前後部の連結部材を加締め金具から成る前後移動規制部材を設けて成る請求項１，２または３に記載のパイプコンベヤ用支持板の取付け構造。
【発明の詳細な説明】
【０００１】
【発明の属する技術分野】
この発明は、パイプコンベヤ用支持板の取付け構造にかかわり、更に詳しくは支持板の取付け位置をパイプコンベヤに対して任意に調整することが出来るパイプコンベヤ用支持板の取付け構造に関するものである。
【０００２】
【従来の技術】
従来、輸送中に舞い上がったり溢れ易い粉体，粒状体等の輸送物をパイプ状に丸めたベルト本体に包み込んで輸送するパイプコンベヤ装置が知られており、このパイプコンベヤ装置は、例えば、数百ｍまたは数キロに及ぶ輸送経路に所定間隔で配設された支持板に支持された状態で輸送されるように構成されている。  前記輸送経路に配設される複数の支持板は、パイプ状に丸めたコンベヤ本体を挿通させる貫通孔を備え、該貫通孔の周囲には複数本の保形ローラを配設し、支持フレームに対して固定された状態となっている。
【０００３】
【発明が解決しようとする課題】
このため、輸送中のパイプコンベヤの上下位置調整や捩じれ等の修正や、支持板の補修，メンテナンス等が必要となった場合に、支持フレームに対してボルト等で固定されている支持板を一々取外す作業が必要となり、多くの手間と時間がかかり、作業能率が極めて悪いと言う問題があった。
【０００４】
この発明の目的は、ベルト本体に対する支持板の取付け位置の修正や支持板の補修及びメンテナンスを容易に行うことが出来るようにしたパイプコンベヤ用支持板の取付け構造を提供することにある。
【０００５】
【課題を解決するための手段】
この発明は、上記目的を達成するため、支持板の周縁部近傍に、周方向に沿って所定の間隔で複数のフックの取付け穴と、連結部材の取付け穴とをそれぞれ形成すると共に、支持板の上部に支持板取付けフレームを架設し、この支持板取付けフレームに形成した長穴に、フックを介して吊設した支持板を着脱可能に吊設し、前記支持板の周囲に形成した複数の連結部材の取付け穴に、紐状または棒状の連結部材を挿通し、この支持板の前後部の連結部材に、支持板の前後移動規制部材を設けたことを要旨とするものである。
【０００６】
この発明は、上記のように構成され、支持板の周縁部近傍に、周方向に沿って所定の間隔で複数のフックの取付け穴と、連結部材の取付け穴とをそれぞれ形成し、該支持板をフックを介して前記支持板取付けフレームに吊設することで、取付け穴に対するフックの取付け位置を調整して支持板の上下位置調整を容易に行うことが出来、また支持板相互を紐状または棒状の複数の連結部材で連結し、更に連結部材は、支持板の取付け穴に対してはフリーであり、支持板の前後移動に対しては、支持板の前後部の連結部材に設けた前後移動規制部材で規制することで、支持板の前後の揺動は規制され、またべルト本体に対して取付け角度を任意に調整できるようにしたものである。
【０００７】
【発明の実施の形態】
以下、添付図面に基づきこの発明の実施の形態を説明する。
図１は、この発明の第１実施形態を示すパイプコンベヤ装置の支持板の概略構成図、図２は支持板の正面図、図３は支持板の取付け状態を示す拡大断面図、図４は支持板の他の実施形態の正面図を示し、前記パイプコンベヤ装置は、パイプ状に丸めたべルト本体１の輸送経路に、円形状の支持板２が所定の間隔で設置されている。
【０００８】
なお、支持板２の形状は、円形状に限定されず、図４に示すような方形状等、任意の形状に形成することも可能である。
前記支持板２は、図１及び図２に示すように、パイプ状に丸めたベルト本体１を挿通させる貫通孔３を中心部に備え、該貫通孔３の周囲には、パイプ状に丸めたコンベヤ本体１を支持する複数本の保形ローラ４が配設されている。
【０００９】
前記支持板２の周縁部近傍には、周方向に沿って所定の間隔でフック５の取付け穴６と、後述する連結部材７の取付け穴８とをそれぞれ形成してあり、フック５の取付け穴６と連結部材７の取付け穴８とを共用することも可能である。
また、支持板２の上部には、べルト本体１の搬送経路に沿って支持板取付けフレーム９が架設してあり、前記支持板２は、支持板２の上部の取付け穴６にフック５を介して吊設するものである。フック５は、図１及び図３に示すように、先端に取付け穴６に係止させる円弧状の係止部５ａが形成され、また後端はＬ字状に形成されてその先端にフランジ部５ｂを形成し、支持板取付けフレーム９に形成した長穴１０に上下にスライドさせることで簡単に係脱できるように構成されている。
【００１０】
前記連結部材７としては、ワイヤー等の紐状部材または可撓性を有する樹脂ロッド等の棒状部材を使用し、支持板２の前後部の連結部材７に加締め金具から成る前後移動規制部材１１を取付けて、連結部材７は支持板２に対しては回転自在であるが、支持板２は連結部材７に対して前後方向に移動出来ないように規制されている。
【００１１】
また連結部材７は、この実施形態では、支持板２の上部に形成した取付け穴８の２個と下部に形成した取付け穴８の２個との計４ヵ所に設けてあるが、特に数には限定されず増減することも可能であり、更に隣接する相互の支持板７を同じ間隔で連結するように構成するものである。
また、図４は支持板２ａの他の実施形態を示すもので、この実施形態は、支持板２ａの形状を方形状に形成したものであり、その他の構成は、上記第１実施形態と同様なので、同一符号を付して説明は省略する。
【００１２】
以上のように、この発明の実施形態では、支持板２の周囲に所定の間隔で複数の取付け穴６，８を形成し、該支持板２をフック５を介して前記支持板取付けフレーム９の長穴１０に着脱可能に吊設することで、取付け穴６，８に対するフック５の取付け位置を調整することで支持板２の上下位置調整を容易に行うことが出来るものである。
【００１３】
また支持板２の相互を紐状または棒状の複数の連結部材７で連結し、更に連結部材７は、支持板２の取付け穴８に対してはフリーであり、支持板２の前後移動に対しては、支持板２の前後部の連結部材７に設けた前後移動規制部材１１で規制することで、支持板２の前後の揺動は規制され、またべルト本体１に対して取付け角度を任意に調整できるようにしている。
【００１４】
この結果、コンベヤ本体１に対する支持板２の取付け位置の修正や支持板の補修及びメンテナンスを容易に行うことが出来るものである。
【００１５】
【発明の効果】
この発明は、上記のように支持板の周縁部近傍に、周方向に沿って所定の間隔で複数のフックの取付け穴と、連結部材の取付け穴とをそれぞれ形成すると共に、支持板の上部に支持板取付けフレームを架設し、この支持板取付けフレームに形成した長穴に、フックを介して吊設した支持板を着脱可能に吊設し、前記支持板の周囲に形成した複数の連結部材の取付け穴に、紐状または棒状の連結部材を挿通し、この支持板の前後部の連結部材に、支持板の前後移動規制部材を設けたので、支持板がコンベヤ本体の移動に追従する結果、コンベヤ本体への抵抗が低減され、また支持板の取付け位置の修正や支持板の補修及びメンテナンスを容易に行うことが出来、更にべルト本体に対する取付け角度も任意に調整できる効果がある。
【図面の簡単な説明】
【図１】この発明の第１実施形態におけるパイプコンベヤ装置の支持板の概略構成図である。
【図２】支持板の正面図である。
【図３】支持板の取付け状態を示す拡大断面図である。
【図４】支持板の他の実施形態を示す正面図である。
【符号の説明】
１  べルト本体              ２，２ａ  支持板
３  貫通孔                        ４  保形ローラ
５  フック                      ５ａ  係止部
５ｂ  フランジ部                    ６  取付け穴
７  連結部材                      ８  取付け穴
９  支持板取付けフレーム        １０  長穴
１１  前後移動規制部材
【図１】
0003888765.tif 000002
【図２】
0003888765.tif 000003
【図３】
0003888765.tif 000004
【図４】
0003888765.tif 000005